(57)【要約】【課題】工具電極に付着した水や油をより効率よく除去して乾燥させるとともに除去した水や油を回収できるようにする必要がある。【解決手段】ブロワモータ６１は、温風を排気するとともに排気した温風を吸気する。乾燥場所には循環ホース６２が接続され、循環ホース６２は、ブロワモータ６１からの温風を乾燥場所まで送風して乾燥場所からの温風をブロワモータ６１に戻す。フィルタ６３は、乾燥場所からの温風から水や油を含む塵粉を除去する。パン６４は、乾燥場所から滴下する水や油を貯留する。ロボットハンド４２は、乾燥場所に工具電極１を搬送し乾燥場所で工具電極１を上下に首振り運動させるとともに左右に旋回させる。【選択図】図１
2007290048.tif 000002
【特許請求の範囲】
【請求項１】
工具電極または被加工物を自動的に交換するロボットシステムを備えた放電加工装置において、温風を排気するとともに排気した温風を吸気するブロワモータと、前記ブロワモータからの温風を乾燥場所まで送風して前記乾燥場所からの温風を前記ブロワモータに戻す循環ホースと、前記乾燥場所からの温風から水や油を含む塵粉を除去するフィルタと、前記乾燥場所から滴下する水や油を貯留するパンと、前記乾燥場所に工具電極または被加工物を搬送し前記乾燥場所で前記工具電極または被加工物を上下に首振り運動させるとともに左右に旋回させるロボットハンドと、を備えた放電加工装置。
【発明の詳細な説明】
【技術分野】
【０００１】
本発明は、自動的に工具電極または被加工物を交換するロボットシステムを備えた放電加工装置に関する。特に、工具電極または被加工物を交換するときに工具電極や被加工物に付着した水や油を除去して乾燥させる装置を含む放電加工装置に関する。
【背景技術】
【０００２】
工具電極や被加工物を自動的に交換する自動工具交換装置を備えた放電加工装置がある。自動工具交換装置を備えた放電加工装置は、例えば、マガジンと加工ヘッドとの間をアームが移動して加工ヘッドに取り付けられた工具電極をマガジンに戻し、マガジンから新しい工具電極を加工ヘッドに取り付けるように構成されている。
【０００３】
放電加工では、工具電極と被加工物とで形成される加工間隙を加工槽に貯えられた水または油を主成分とする放電加工液中に配置して工具電極と被加工物との間に所定の電圧を印加し放電加工を行なう。したがって、工具電極と被加工物とが放電加工液中に浸漬されている。
【０００４】
そのため、工具電極や被加工物をマガジンに戻すときに、工具電極や被加工物に放電加工液の水や油が残っている。ロボットによる工具電極または被加工物の交換システムの場合、工具電極や被加工物はマガジンの専用パレット上に据え置かれる。したがって、放電加工後に水や油が付着した工具電極または被加工物が長時間そのまま放置されることによって、パレットや治具など周辺部材に錆や汚れを発生させる原因になる。
【０００５】
そこで、特許文献１に示されるように、工具電極に圧縮空気を吹き当てて工具電極に付着した水や油を吹き飛ばして乾燥させるようにしている。図４に、乾燥装置の具体的な例が示される。例えば、２本のパイプ１０の間に工具電極１を配置し、パイプ１０内に圧縮空気を供給し、パイプ１０に設けられた複数の吹き出し口から工具電極１にエアを吹きつけて工具電極１に付着した水や油を吹き飛ばして乾燥させる。
【０００６】
なお、特許文献２に示されるように、エア吹き出しと温風吹き出しを交互に行なって加工終了後の加工部分の錆の発生を抑えるために被加工物表面を乾燥させる装置が知られている。
【０００７】
【特許文献１】実開平５−２８３８号公報
【特許文献２】特開昭６１−１１７０１５号公報
【発明の開示】
【発明が解決しようとする課題】
【０００８】
従来の工具電極に圧縮空気を吹き当てて工具電極に付着した水や油を吹き飛ばして乾燥させるようにした装置ではいくつかの不十分な点がある。例えば、圧縮空気を吹き当てるだけでは短時間に十分に水や油を除去できない。また、除去された水や油が下側に滴る。また、工具電極の形状によって水や油を除去できないことがある。さらに、工具電極に十分に圧縮空気を当てるために工具電極の数箇所から圧縮空気を供給しなければならない。
【０００９】
本発明は、工具電極に付着した水や油をより効率よく除去して乾燥させるとともに除去した水や油を回収できる工具電極または被加工物を自動的に交換するロボットシステムを備えた放電加工装置を提供することを目的とする。
【課題を解決するための手段】
【００１０】
本発明は、上記課題を解決するために、工具電極または被加工物を自動的に交換するロボットシステムを備えた放電加工装置において、温風を排気するとともに排気した温風を吸気するブロワモータと、前記ブロワモータからの温風を乾燥場所まで送風して前記乾燥場所からの温風を前記ブロワモータに戻す循環ホースと、前記乾燥場所からの温風から水や油を含む塵粉を除去するフィルタと、前記乾燥場所から滴下する水や油を貯留するパンと、前記乾燥場所に工具電極または被加工物を搬送し前記乾燥場所で前記工具電極または被加工物を上下に首振り運動させるとともに左右に旋回させるロボットハンドと、を備える。
【発明の効果】
【００１１】
第１に、乾燥場所で工具電極または被加工物を上下に首振り運動させるとともに左右に旋回させながら温風を吹き当てるので、短時間に十分に水や油を除去乾燥できる。第２に、乾燥場所から滴下する水や油を回収するパンを設けたので水や油を回収でき周辺を汚すことがない。第３に、乾燥場所で工具電極または被加工物を上下に首振り運動させるとともに左右に旋回させるので、工具電極の形状に関わらず効果的に水や油を除去できる。第４に、乾燥場所で工具電極または被加工物を上下に首振り運動させるとともに左右に旋回させながら温風によって乾燥させるので一方向からの温風で効果的に工具電極や被加工物を乾燥させることができ、装置が単純化される。
【発明を実施するための最良の形態】
【００１２】
図１は、本発明における乾燥装置の正面を示す。図２は、本発明における乾燥装置の側面を示す。また、図３は、ロボットシステムを備えた放電加工装置全体を上側から見た概略を示す。
【００１３】
放電加工装置本機２は、工具電極１または図示しない被加工物を自動的に交換するロボットシステムを備える。工具電極１または被加工物は、マガジン３上に多数配置される。ロボット４は、工具電極１をマガジン３と図示しない加工ヘッドとの間で搬送する。または、ロボット４は、被加工物をマガジン３と加工槽５内の図示しない載置台との間で搬送する。乾燥装置６は、マガジン３と加工槽５との間に設けられる。
【００１４】
ロボット４は、ロボットアーム４１とロボットハンド４２を備える。ロボットアーム４１は、関節部を有し屈曲することによって上下前後に移動する。また、ロボットアーム４１の全体が旋回する。ロボットハンド４２は、工具電極１または被加工物を把持する。ロボットハンド４２は、上下に首振り運動させるとともに左右に旋回する。
【００１５】
このように動作するロボット４は、工具電極１をマガジン３から加工ヘッドに取り付けたり、加工ヘッドから取り外してマガジン３に戻したりし、工具電極を自動的に交換する。または、被加工物をマガジン３から載置台に取り付けたり、載置台から取り外してマガジン３に戻したりして、被加工物を自動的に交換する。
【００１６】
乾燥装置６は、ブロワモータ６１と、循環ホース６２と、フィルタ６３と、パン６４と、を備える。ブロワモータ６１は、モータの熱を吸収して温風を排気するとともに排気した温風を吸気する。
【００１７】
ブロワモータ６１の吸気口と排気口にはそれぞれ循環ホース６２が接続される。循環ホース６２の他端は、乾燥装置６の上部の乾燥場所に接続される。したがって、循環ホース６２は、ブロワモータ６１からの温風を乾燥場所まで送風して乾燥場所からの温風をブロワモータ６１に戻す。
【００１８】
乾燥場所の直下には、フィルタ６３が設けられる。フィルタ６３は、乾燥場所からの温風から水や油を含む塵粉を除去する。したがって、フィルタ６３はブロワモータ６１による温風の循環を可能にする。パン６４は、工具電極１または被加工物から除去され、あるいは乾燥場所から滴下する水や油を貯留する。パン６４に貯留された水や油は、バルブ６５を緩めることによって管から外部に回収することができる。
【００１９】
ロボットハンド４２は、工具電極１や被加工物を把持し、ロボットアーム４１が移動するのにともない乾燥場所に工具電極１または被加工物を搬送する。そして、ロボットハンド４２は、乾燥場所で工具電極１または被加工物を上下に首振り運動させるとともに左右に旋回させる。
【００２０】
次に、以上に説明されるロボットシステムを備えた放電加工装置の工具電極を取り外すときの動作を説明する。
【００２１】
まず、ロボット４は、ロボットアーム４１を旋回させ前進させてロボットハンド４２を加工ヘッドの工具電極の位置まで移動させる。次に、ロボットハンド４２が工具電極を把持する。そして、工具電極を加工ヘッドから取り外す。
【００２２】
ロボット４は、ロボットアーム４１を後退させてから旋回させ、乾燥装置６の上部まで工具電極１を搬送する。そして、ロボットアーム４１を下降させてロボットハンド４２に把持された工具電極１を乾燥場所に位置させる。
【００２３】
ここで、ブロワモータ６１をオンして温風を排気させる。温風は、循環ホース６２を通して乾燥場所まで達し、フィルタ６３を通過する。フィルタ６３を通過した温風は、循環ホース６２を通ってブロワモータ６１に吸気される。
【００２４】
乾燥場所では、ロボットハンド４２を駆動して工具電極１を上下に首振り運動させるとともに左右に旋回させる。したがって、温風が一方向から供給されていても、工具電極１に満遍なく温風が当てられる。工具電極１に付着した水や油は温風によって乾燥され、もしくは吹き飛ばされて下側のパン６４に回収される。
【００２５】
以上に説明されるロボットシステムを備えた放電加工装置は、温風を循環させることにより温風に流れを形成して乾燥場所に供給し、乾燥場所で工具電極または被加工物を上下に首振り運動させるとともに左右に旋回させるので、短時間に十分に水や油を除去できるとともに、工具電極の形状に関わらず効果的に水や油を除去できる。また、温風を一方向から供給することでも効果的に水や油を除去できるので、装置の構造が単純化される。
【００２６】
本発明のロボットシステムを備えた放電加工装置は、実施の形態に関わらず、種々の変形が可能である。例えば、モータの熱を利用したブロワモータに置き換えて、温風を循環供給できる他の装置を適用することができる。
【産業上の利用可能性】
【００２７】
本発明は、自動的に工具電極または被加工物を交換するロボットシステムを備えた放電加工装置に利用できる。本発明は、工具電極または被加工物を交換するときに工具電極や被加工物に付着した水や油を効果的に除去して乾燥させる。本発明は、マガジンに収納される工具電極または被加工物の周辺部材の錆や汚れを防止し、自動化の発展に役立つ。
【図面の簡単な説明】
【００２８】
【図１】本発明の放電加工装置における乾燥装置を示す正面図である。
【図２】本発明の放電加工装置における乾燥装置を示す側面図である。
【図３】本発明の放電加工装置の全体の概容を示す平面図である。
【図４】従来の乾燥装置の概容を示す斜視図である。
【符号の説明】
【００２９】
１  工具電極
２  放電加工装置本機
３  マガジン
４  ロボット
４１  ロボットアーム
４２  ロボットハンド
５  加工槽
６  乾燥装置
６１  ブロワモータ
６２  循環ホース
６３  フィルタ
６４  パン
６５  バルブ
【図１】
2007290048.tif 000003
【図２】
2007290048.tif 000004
【図３】
2007290048.tif 000005
【図４】
2007290048.tif 000006